(57)【特許請求の範囲】
【請求項１】
セカンダリネットワークに属するセカンダリ送信機の送信パワーに応じて適応的にセンシング基準レベルを制御するセンシング基準レベル制御部と、
前記制御されたセンシング基準レベルを用いて、予め設定された時間区間の間に受信された信号が存在するか否かを判断する高速センシング部と、
前記受信された信号が存在すると判断された場合に、ファインセンシング技法によって前記受信された信号がプライマリネットワークに属するプライマリ送信機から送信される信号であるか否かを判断するファインセンシング部と、
前記セカンダリネットワークに属するセカンダリ受信機と前記セカンダリ送信機との間の距離によって前記セカンダリ送信機の前記送信パワーを決定する送信パワー決定部と、を備え、
前記センシング基準レベル制御部は、
予め予測した仮想のプライマリネットワークに属する仮想のプライマリ送受信機の無線資源に関する情報に基づいて前記センシング基準レベルを制御し、
前記高速センシング部は、
前記制御されたセンシング基準レベル及び前記受信された信号のパワーを比較する高速センシング技法によって前記受信された信号が存在するか否かを判断し、
前記無線資源に関する情報は、
前記予め予測した仮想のプライマリネットワークに属する仮想のプライマリ受信機で発生する恐れがある干渉量を予め予測した干渉量であるか、
前記予め予測した仮想のプライマリネットワークに属する仮想のプライマリ受信機が要求する最小信号対干渉及び雑音比であるか、
前記予め予測した仮想のプライマリネットワークに属する仮想のプライマリ送信機から送信される信号のパワーであるか、
のいずれか１つであることを特徴とするコグニティブ無線通信装置。
【請求項２】
前記センシング基準レベル制御部は、
前記無線資源に関する情報の内、
前記予め予測した仮想のプライマリネットワークに属する仮想のプライマリ受信機が要求する最小信号対干渉及び雑音比に基づき、該最小信号対干渉及び雑音比と同じになる前記セカンダリ送信機と前記仮想のプライマリ受信機との間の最小可能距離を予め予測し、該予測された最小可能距離を用いて前記センシング基準レベルを制御することを特徴とする請求項１に記載のコグニティブ無線通信装置。
【請求項３】
前記センシング基準レベル制御部は、
前記予め予測した仮想のプライマリネットワークに属する仮想のプライマリ送信機のカバレージの半径を更に考慮して前記センシング基準レベルを制御することを特徴とする請求項２に記載のコグニティブ無線通信装置。
【請求項４】
前記送信パワー決定部は、
前記セカンダリ受信機と前記セカンダリ送信機との間の距離が増加するほど前記セカンダリ送信機の前記送信パワーを増加させ、前記セカンダリ受信機と前記セカンダリ送信機との間の距離が減少するほど前記セカンダリ送信機の前記送信パワーを減少させることを特徴とする請求項１に記載のコグニティブ無線通信装置。
【請求項５】
セカンダリネットワークに属するセカンダリ送信機の送信パワーに応じて適応的にセンシング基準レベルを制御するステップと、
前記制御されたセンシング基準レベルを用いて、予め設定された時間区間の間に受信された信号が存在するか否かを判断するステップと、
前記受信された信号が存在すると判断された場合に、ファインセンシング技法によって前記受信された信号がプライマリネットワークに属するプライマリ送信機から送信される信号であるか否かを判断するステップと、
前記セカンダリネットワークに属するセカンダリ受信機と前記セカンダリ送信機との間の距離によって前記セカンダリ送信機の前記送信パワーを決定するステップと、を有し、
前記センシング基準レベルを制御するステップは、
予め予測した仮想のプライマリネットワークに属する仮想のプライマリ送受信機の無線資源に関する情報に基づいて前記センシング基準レベルを制御するステップであり、
前記無線資源に関する情報は、
前記予め予測した仮想のプライマリネットワークに属する仮想のプライマリ受信機で発生する恐れがある干渉量を予め予測した干渉量であるか、
前記予め予測した仮想のプライマリネットワークに属する仮想のプライマリ受信機が要求する最小信号対干渉及び雑音比であることを特徴とするコグニティブ無線通信方法。
【請求項６】
前記センシング基準レベルを制御するステップは、
前記無線資源に関する情報の内、
前記予め予測した仮想のプライマリネットワークに属する仮想のプライマリ受信機が要求する最小信号対干渉及び雑音比に基づき、該最小信号対干渉及び雑音比と同じになる前記セカンダリ送信機と前記仮想のプライマリ受信機との間の最小可能距離を予め予測し、該予測された最小可能距離を用いて前記センシング基準レベルを制御するステップであることを特徴とする請求項５に記載のコグニティブ無線通信方法。
【請求項７】
請求項５又は６に記載の方法を実行させるためのプログラムを記録したコンピュータ読み取り可能な記録媒体。      
【請求項８】
セルラ通信システムに相応するセカンダリネットワークに属する基地局又は端末機の送信パワーに応じて適応的にセンシング基準レベルを制御するセンシング基準レベル制御部と、
前記制御されたセンシング基準レベルを用いて、予め設定された時間区間の間に受信された信号が存在するか否かを判断する高速センシング部と、を備え、
前記センシング基準レベル制御部は、
予め予測した仮想のプライマリネットワークに属する仮想のプライマリ送受信機の無線資源に関する情報に基づいて前記センシング基準レベルを制御し、
前記無線資源に関する情報は、
前記予め予測した仮想のプライマリネットワークに属する仮想のプライマリ受信機で発生する恐れがある干渉量を予め予測した干渉量であるか、
前記予め予測した仮想のプライマリネットワークに属する仮想のプライマリ受信機が要求する最小信号対干渉及び雑音比であるか、
前記予め予測した仮想のプライマリネットワークに属する仮想のプライマリ送信機から送信される信号のパワーであるか、
のいずれか１つであることを特徴とするセルラ通信システムのためのコグニティブ無線通信装置。
【請求項９】
前記センシング基準レベル制御部は、
前記無線資源に関する情報の内、
前記予め予測した仮想のプライマリネットワークに属する仮想のプライマリ受信機が要求する最小信号対干渉及び雑音比に基づき、該最小信号対干渉及び雑音比と同じになる前記基地局又は前記端末機のうちのいずれか１つと前記仮想のプライマリ受信機との間の最小可能距離を予め予測し、該予測された最小可能距離を考慮して前記センシング基準レベルを制御することを特徴とする請求項８に記載のセルラ通信システムのためのコグニティブ無線通信装置。
【請求項１０】
前記センシング基準レベル制御部は、
前記予め予測した仮想のプライマリネットワークに属する仮想のプライマリ送信機のカバレージの半径を更に考慮して前記センシング基準レベルを制御することを特徴とする請求項９に記載のセルラ通信システムのためのコグニティブ無線通信装置。
【発明の詳細な説明】
【技術分野】
【０００１】
本発明は、セカンダリネットワークに属する送信機の送信パワーに応じてセンシング基準レベルを制御することで、高速（ｆａｓｔ）センシングを効率的に実行するコグニティブ無線通信装置及びその方法、並びにその方法を実行させるためのプログラムを記録したコンピュータ読み取り可能な記録媒体に関する。
【背景技術】
【０００２】
最近、通信サービスの多様化に加えて通信装置の移動性が要求されることに伴い、無線資源を効率的に用いるためのコグニティブ無線（ｃｏｇｎｉｔｉｖｅ  ｒａｄｉｏ）技術に関する研究が活発に進められている。
【０００３】
コグニティブ無線技術によれば、セカンダリ（ｓｅｃｏｎｄａｒｙ）ネットワークに属するセカンダリ通信装置は、プライマリ（ｐｒｉｍａｒｙ）ネットワークに属するプライマリ通信装置に割り当てられた無線資源の全て又は一部を認知して選択し、選択された無線資源を用いる。
【０００４】
但し、セカンダリ通信装置が認知して選択した無線資源を用いて通信しても、セカンダリ通信装置はプライマリ通信装置の通信動作を妨害してはいけない。即ち、セカンダリ通信装置によってプライマリ通信装置で発生する干渉を制限したり除去したりしなければならない。
【０００５】
セカンダリ通信装置がプライマリ通信装置の通信動作を妨害しないために、セカンダリ通信装置は、プライマリ通信装置が通信動作を実行しているか否かなどを正確にセンシングしなければならない。最近、セカンダリ通信装置でプライマリ通信装置が通信動作を実行しているか否かを判断する多様な技法が研究されているが、最も注目されている技法は、高速（ｆａｓｔ）センシング段階及びファイン（ｆｉｎｅ）センシング段階を順に経る技法である。
【０００６】
高速センシング段階及びファインセンシング段階を順に経る技法によれば、セカンダリ通信装置は、比較的短い時間区間である高速センシング区間の間に受信される信号が存在するか否かを迅速に判断する。このとき、セカンダリ通信装置は、受信された信号のパワーを予め設定されたセンシング基準レベルと比較して、受信される信号が存在するか否かを迅速に判断する。そして、高速センシング区間の間に受信される信号が存在すると判断される場合に、セカンダリ通信装置は、比較的長い時間区間であるファイン（ｆｉｎｅ）センシング区間の間に受信された信号がプライマリ通信装置から送信されたものであるか否かを具体的に判断する。このとき、セカンダリ通信装置は、整合フィルタ（ｍａｔｃｈｅｄ  ｆｉｌｔｅｒ）などを用いて、受信された信号がプライマリ通信装置から送信されたものであるか否かを具体的に判断する。
【０００７】
但し、受信された信号が存在しないにも拘らず、セカンダリ通信装置が高速センシングを介して受信された信号が存在すると判断された場合に、ファインセンシングが不必要に実行されるという問題がある。更に、受信された信号が存在するにも拘らず、セカンダリ通信装置が高速時間区間の間に受信された信号が存在しないと判断された場合に、セカンダリ通信装置はファインセンシングを実行せず、これによりセカンダリ通信装置によってプライマリ通信装置の通信動作が妨害されるという問題がある。
【０００８】
従って、ファインセンシングが不必要に実行されることによって発生する無線資源の浪費を減らすと共に、より正確に高速センシングを実行することができる技術が求められている。
【発明の開示】
【発明が解決しようとする課題】
【０００９】
本発明は、上記従来の問題点に鑑みてなされたものであって、本発明の目的は、セカンダリ送信機の送信パワーに応じて適応的にセンシング基準レベルを制御することで、より高速のセンシングを実行する場合に発生する恐れがある誤報（ｆａｌｓｅ  ａｌａｒｍ）確率及び看過（ｍｉｓｓｅｄ  ｄｅｔｅｃｔｉｏｎ）確率を同時に減らすことができるコグニティブ無線通信装置及びその方法、並びにその方法を実行させるためのプログラムを記録したコンピュータ読み取り可能な記録媒体を提供することにある。
【課題を解決するための手段】
【００１０】
上記目的を達成するためになされた本発明の一特徴によるコグニティブ無線通信装置は、セカンダリネットワークに属するセカンダリ送信機の送信パワーに応じて適応的に（ａｄａｐｔａｂｌｙ）センシング基準レベルを制御するセンシング基準レベル制御部と、前記制御されたセンシング基準レベルを用いて、予め設定された時間区間の間に受信された信号が存在するか否かを判断する高速センシング部と、
前記受信された信号が存在すると判断された場合に、ファインセンシング技法によって前記受信された信号がプライマリネットワークに属するプライマリ送信機から送信される信号であるか否かを判断するファインセンシング部と、
前記セカンダリネットワークに属するセカンダリ受信機と前記セカンダリ送信機との間の距離によって前記セカンダリ送信機の前記送信パワーを決定する送信パワー決定部と、を備え、
前記センシング基準レベル制御部は、
予め特定されたプライマリネットワークに属するプライマリ送受信機の無線資源に関する情報に基づいて前記センシング基準レベルを制御し、
前記高速センシング部は、
前記制御されたセンシング基準レベル及び前記受信された信号のパワーを比較する高速センシング技法によって前記受信された信号が存在するか否かを判断することを特徴とする。
【００１１】
上記目的を達成するためになされた本発明の一特徴によるコグニティブ無線通信方法は、セカンダリネットワークに属するセカンダリ送信機の送信パワーに応じて適応的にセンシング基準レベルを制御するステップと、前記制御されたセンシング基準レベルを用いて、予め設定された時間区間の間に受信された信号が存在するか否かを判断するステップと、  前記受信された信号が存在すると判断された場合に、ファインセンシング技法によって前記受信された信号がプライマリネットワークに属するプライマリ送信機から送信される信号であるか否かを判断するステップと、
前記セカンダリネットワークに属するセカンダリ受信機と前記セカンダリ送信機との間の距離によって前記セカンダリ送信機の前記送信パワーを決定するステップと、を有し、
前記センシング基準レベルを制御するステップは、
予め特定されたプライマリネットワークに属するプライマリ送受信機の無線資源に関する情報に基づいて前記センシング基準レベルを制御するステップであることを特徴とする。
【００１２】
上記目的を達成するためになされた本発明のコンピュータ読み取り可能な記録媒体は、上記コグニティブ無線通信方法を実行させるためのプログラムを記録している。
【００１３】
上記目的を達成するためになされた本発明の一特徴によるセルラ通信システムのためのコグニティブ無線通信装置は、セルラ通信システムに相応するセカンダリネットワークに属する基地局又は端末機の送信パワーに応じて適応的にセンシング基準レベルを制御するセンシング基準レベル制御部と、前記制御されたセンシング基準レベルを用いて、予め設定された時間区間の間に受信された信号が存在するか否かを判断する高速センシング部と、を備える。
【発明の効果】
【００１４】
本発明のコグニティブ無線通信装置及びその方法によれば、セカンダリ送信機の送信パワーに応じて適応的にセンシング基準レベルを制御することで、より高速のセンシングを実行する場合に発生する恐れがある誤報確率及び看過確率を同時に減らすことができる。
【発明を実施するための最良の形態】
【００１５】
以下、本発明のコグニティブ無線通信装置及びその方法を実施するための最良の形態の具体例を、図面を参照しながら詳細に説明する。
【００１６】
図１は、本発明の一実施形態によってセカンダリネットワークに属するコグニティブ無線通信装置が高速センシングする高速センシング区間及びファインセンシングするファインセンシング区間を示す図である。
【００１７】
図１を参照すると、コグニティブ無線通信装置は、検出（ｄｅｔｅｃｔｉｏｎ）区間の間に受信された信号が存在するか否か、及び受信された信号がプライマリネットワークで生成された信号であるか否かを判断する。このとき、検出区間は、３つの高速センシング区間Ａ、Ｂ、Ｃ、及びファインセンシング区間Ｄを含む。
【００１８】
高速センシング区間Ａ、Ｂ、Ｃのそれぞれの時間の長さは比較的短く、コグニティブ無線通信装置は、比較的短い時間間隔ごとに高速センシングを迅速に実行する。即ち、高速センシング区間Ａ、Ｂ、Ｃの間に、コグニティブ無線通信装置は、受信された信号のパワーが予め設定されたセンシング基準レベルよりも大きいか否かを判断して、受信された信号が存在するか否かを判断する。
【００１９】
例えば、受信された信号のパワーがセンシング基準レベルよりも大きい場合に、コグニティブ無線通信装置は、受信された信号が存在すると判断し、受信された信号のパワーがセンシング基準レベルよりも小さい場合に、コグニティブ無線通信装置は、受信された信号が存在しないと判断することができる。
【００２０】
結局、コグニティブ無線通信装置は、受信された信号のパワーを基準として受信された信号が存在するか否かを判断するため、迅速に受信された信号が存在するか否かを判断することができる。
【００２１】
もし、高速センシング区間Ａ、Ｂ、Ｃの間に受信された信号が存在すると判断されれば、コグニティブ無線通信装置は、ファインセンシング区間Ｄの間にファインセンシングを実行する。このとき、ファインセンシング区間Ｄの時間の長さは比較的長く、ファインセンシングは高速センシングよりも精密に実行される。
【００２２】
例えば、コグニティブ無線通信装置は、整合フィルタなどを用いて、受信された信号がプライマリネットワークから生成された信号であるか否か及びプライマリネットワークの種類などを正確に把握することができる。
【００２３】
結局、セカンダリネットワークに属するコグニティブ無線通信装置は、高速センシング及びファインセンシングのように２段階のセンシング手順を用いてプライマリネットワークから生成された信号が存在するか否かを判断し、使用している無線資源を継続して用いるか否かを決定することができる。
【００２４】
このとき、コグニティブ無線通信装置が高速センシングを実行する過程に注目する必要がある。
【００２５】
もし、センシング基準レベルが過度に高く設定されていれば、コグニティブ無線通信装置は、プライマリネットワークから生成された信号が実際に存在してファインセンシングを実行しなければならないにも拘らず、受信された信号が存在しないと判断する場合がある。このような場合に、セカンダリネットワークに属するコグニティブ無線通信装置の通信動作によって、プライマリネットワークに属する通信装置が適切に通信動作を実行することができないという問題が発生する恐れがある。
【００２６】
これとは反対に、センシング基準レベルが過度に低く設定されていれば、コグニティブ無線通信装置は、受信された信号が存在しないにも拘らず、受信された信号が存在するものと誤って判断する場合がある。このような場合に、コグニティブ無線通信装置は、不必要なファインセンシングを実行することがある。このときに、ファインセンシング区間の時間の長さは比較的長いため、コグニティブ無線通信装置が不必要なファインセンシングを実行するのに多くの無線資源を消耗するという問題が発生する恐れがある。
【００２７】
従って、コグニティブ無線通信装置は、適切に設定されたセンシング基準レベルによって高速センシングを実行する必要がある。
【００２８】
図２は、センシング基準レベルに対する看過確率及び誤報確率の一例を示す図である。
【００２９】
図２を参照すると、カーブ２１０は、センシング基準レベルの変化による看過確率の変化を示す。ここで、看過確率とは、実際に受信された信号が存在するにも拘らず、コグニティブ無線通信装置が受信された信号が存在しないと判断する確率を意味する。
【００３０】
カーブ２１０によれば、センシング基準レベルの増大に伴って看過確率が増加することが分かる。即ち、センシング基準レベルが過度に高い場合に、コグニティブ無線通信装置は、実際に受信された信号が存在するにも拘らず、コグニティブ無線通信装置が受信された信号が存在しないと判断する確率が増加する。
【００３１】
カーブ２２０は、センシング基準レベルの変化による誤報確率の変化を示す。ここで、誤報確率とは、実際に受信された信号が存在しないにも拘らず、コグニティブ無線通信装置が受信された信号が存在すると誤って判断する確率を意味する。
【００３２】
カーブ２２０によれば、センシング基準レベルの低下に伴って誤報確率が増加することが分かる。即ち、センシング基準レベルが過度に低い場合に、コグニティブ無線通信装置は、受信された信号が存在しないにも拘らず、受信された信号が存在すると誤って判断する確率が増加する。これにより、多くの無線資源を要求するファインセンシングが頻繁に実行されるという問題が発生する。
【００３３】
図３は、誤報確率に対する看過確率の一例を示す図である。
【００３４】
図３を参照すると、カーブ３１０及びカーブ３２０は、誤報確率の変化による看過確率の変化を示す図である。カーブ３１０及びカーブ３２０によれば、誤報確率及び看過確率は、互いにトレードオフ（ｔｒａｄｅ  ｏｆｆ）関係にあることが分かる。
【００３５】
但し、センシング基準レベルを適切に設定することによって、カーブ３１０をカーブ３２０のように生成できる可能性がある。即ち、センシング基準レベルを適切に設定することで、誤報確率及び看過確率を減少させることができる。
【００３６】
図４は、本発明のセカンダリネットワーク及びプライマリネットワークの一例を示す図である。
【００３７】
図４を参照すると、セカンダリネットワークは、第１セカンダリユーザ（Ｓｅｃｏｎｄａｒｙ  Ｕｓｅｒ）通信装置（ＳＵ１）４１０及び第２セカンダリユーザ通信装置（ＳＵ２）４２０で構成される。また、プライマリネットワークは、プライマリユーザ送信機（Ｐｒｉｍａｒｙ  Ｕｓｅｒ  Ｔｒａｎｓｍｉｔｔｅｒ：ＰＵ  ＴＸ）４３０及び第１及び第２プライマリユーザ受信機（Ｐｒｉｍａｒｙ  Ｕｓｅｒ  Ｒｅｃｅｉｖｅｒ：ＰＵ  ＲＸ１、ＰＵ  ＲＸ２）４４０、４５０で構成される。
【００３８】
ＳＵ１（４１０）及びＳＵ２（４２０）は、それぞれＳＵ１（４１０）とＳＵ２（４２０）との間の距離によって送信パワーを制御する（Ｔｒａｎｓｍｉｓｓｉｏｎ  Ｐｏｗｅｒ  Ｃｏｎｔｒｏｌ：ＴＰＣ）。即ち、ＳＵ１（４１０）とＳＵ２（４２０）との間の距離が増加するほど送信パワーが増加し、ＳＵ１（４１０）とＳＵ２（４２０）との間の距離が減少するほど送信パワーが減少するようにできる。
【００３９】
ＳＵ１（４１０）及びＳＵ２（４２０）のそれぞれは、制御された送信パワーによってデータを送受信する。このとき、ＳＵ１（４１０）及びＳＵ２（４２０）は、送信パワーによってデータを適切に送受信することができる範囲である送受信カバレージ４６０を有する。更に、ＳＵ１（４１０）及びＳＵ２（４２０）は、送信パワーによって他の通信装置に干渉を及ぼす恐れがある範囲である干渉カバレージ４７０を有する。ここで、送受信カバレージ４６０の半径をａとし、干渉カバレージ（４７０）の半径をｂとする。
【００４０】
ＳＵ１（４１０）及びＳＵ２（４２０）のそれぞれの送信パワーが増加する場合に、干渉カバレージ４７０の半径は増加するため、ＳＵ１（４１０）及びＳＵ２（４２０）は敏感に高速センシングを実行する必要がある。即ち、ＳＵ１（４１０）及びＳＵ２（４２０）のそれぞれは、センシング基準レベルを減少させて高速センシングを実行する必要がある。
【００４１】
これとは反対に、ＳＵ１（４１０）及びＳＵ２（４２０）それぞれの送信パワーが減少する場合に、干渉カバレージ４７０の半径は減少するため、ＳＵ１（４１０）及びＳＵ２（４２０）は敏感に高速センシングを実行しなくても問題にならない。
【００４２】
従って、センシング基準レベルとＳＵ１（４１０）及びＳＵ２（４２０）の送信パワーは、互いに関連があることが分かる。即ち、ＳＵ１（４１０）及びＳＵ２（４２０）のそれぞれが送信パワーに応じて適応的にセンシング基準レベルを調節することで、高速センシングの実行において発生する誤報確率及び看過確率を同時に減らすことができる。
【００４３】
図５は、セカンダリ送信機から最小可能距離だけ離隔したプライマリ受信機の一例を示す図である。
【００４４】
図５を参照すると、セカンダリネットワークは、セカンダリユーザ送信機（ＳＵ  ＴＸ）５１０を備え、プライマリネットワークは、プライマリユーザ送信機（ＰＵ  ＴＸ）５２０、第１〜第３プライマリユーザ受信機（ＰＵ  ＲＸ１、ＰＵ  ＲＸ２、ＰＵ  ＲＸ３）５３０、５４０、５５０を備える。但し、図５において、ＰＵ  ＴＸ（５２０）、ＰＵ  ＲＸ１（５３０）、ＰＵ  ＲＸ２（５４０）、ＰＵ  ＲＸ３（５５０）は仮想的に示すものであり、ＰＵ  ＴＸ（５２０）、ＰＵ  ＲＸ１（５３０）、ＰＵ  ＲＸ２（５４０）、ＰＵ  ＲＸ３（５５０）は移動性を有するため、どこにでも位置することができる。
【００４５】
ＳＵ  ＴＸ（５１０）は、データを送受信することができる範囲である送受信カバレージ５６０を有し、送信パワーＴＸＰＷ＿ｓｕによって干渉カバレージ５７０を有する。更に、ＰＵ  ＴＸ（５２０）も、データを送受信することができる送受信カバレージ５８０を有する。ここで、ＳＵ  ＴＸ（５１０）は、送信パワーＴＸＰＷ＿ｓｕを予め把握しているため、送受信カバレージ５６０の半径Ｄ＿ｓｕを予め把握することができる。
【００４６】
このとき、ＳＵ  ＴＸ（５１０）は、ＰＵ  ＲＸ１（５３０）、ＰＵ  ＲＸ２（５４０）、ＰＵ  ＲＸ３（５５０）で発生する恐れがある干渉量を予測し、予測された干渉量に基づいてセンシング基準レベルを制御することができる。即ち、ＳＵ  ＴＸ（５１０）は、ＰＵ  ＲＸ１（５３０）、ＰＵ  ＲＸ２（５４０）、ＰＵ  ＲＸ３（５５０）で発生する恐れがある干渉量が予め設定された閾値を超えないようにセンシング基準レベルを制御することができる。例えば、ＰＵ  ＲＸ１（５３０）、ＰＵ  ＲＸ２（５４０）、ＰＵ  ＲＸ３（５５０）で発生する恐れがある干渉量が予め設定された閾値を超える場合に、ＳＵ  ＴＸ（５１０）は、ＰＵ  ＲＸ１（５３０）、ＰＵ  ＲＸ２（５４０）、ＰＵＲ  Ｘ３（５５０）の存在を高速センシング区間の間に認知するようにセンシング基準レベルを制御することができる。
【００４７】
ここで、ＰＵ  ＲＸ１（５３０）、ＰＵ  ＲＸ２（５４０）、ＰＵ  ＲＸ３（５５０）で発生する恐れがある干渉量は、ＰＵ  ＲＸ１（５３０）、ＰＵ  ＲＸ２（５４０）、ＰＵＲ  Ｘ３（５５０）の信号対干渉及び雑音比と関連する。
【００４８】
特に、ＰＵ  ＲＸ１（５３０）、ＰＵ  ＲＸ２（５４０）、ＰＵ  ＲＸ３（５５０）のそれぞれは、要求される信号対干渉及び雑音比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＩＮＲ）の最小値である最小信号対干渉及び雑音比を有する。即ち、ＰＵ  ＲＸ１（５３０）、ＰＵ  ＲＸ２（５４０）、ＰＵ  ＲＸ３（５５０）のそれぞれは、実際の信号対干渉及び雑音比が最小信号対干渉及び雑音比よりも大きければ、正常な通信動作を実行することができる。
【００４９】
このとき、ＳＵ  ＴＸ（５１０）は、ＰＵ  ＲＸ１（５３０）、ＰＵ  ＲＸ２（５４０）、ＰＵ  ＲＸ３（５５０）のそれぞれの最小信号対干渉及び雑音比を考慮してセンシング基準レベルを制御することができる。
【００５０】
例えば、ＳＵ  ＴＸ（５１０）は、現在の送信パワーが保持される場合に、ＰＵ  ＲＸ１（５３０）の実際の信号対干渉及び雑音比が最小信号対干渉及び雑音比と同じになる距離であるＳＵ  ＴＸ（５１０）とＰＵ  ＲＸ１（５３０）との間の最小可能距離Ｄ＿Ｘを予測することができる。ここで、ＰＵ  ＲＸ１（５３０）は、実際に存在するプライマリユーザ受信機ではなく、ＳＵ  ＴＸ（５１０）から最小可能距離Ｄ＿Ｘだけ離隔した場所に位置するプライマリユーザ受信機として仮想的に予測されたものである。
【００５１】
即ち、ＳＵ  ＴＸ（５１０）が最小可能距離Ｄ＿Ｘを基準としてＳＵ  ＴＸ（５１０）から最小可能距離Ｄ＿Ｘよりも近い場所に位置するプライマリユーザ受信機をセンシングすることができ、ＳＵ  ＴＸ（５１０）から最小可能距離よりも遠い場所に位置するプライマリユーザ受信機をセンシングしないようにセンシング基準レベルを設定することができる。
【００５２】
従って、ＳＵ  ＴＸ（５１０）は、最小可能距離Ｄ＿Ｘに位置するＰＵ  ＲＸ１（５３０）から送信された信号をセンシングできるようにセンシング基準レベルを設定することで、より効率的に高速センシングを実行することができる。ここで、ＰＵ  ＲＸ１（５３０）は、実際に存在するものではなく、ＳＵ  ＴＸ（５１０）によって仮想的に予測されたプライマリユーザ受信機である。
【００５３】
このとき、ＳＵ  ＴＸ（５１０）から最小可能距離Ｄ＿Ｘだけ離隔した場所に位置するＰＵ  ＲＸ１（５３０）の実際の信号対干渉及び雑音比ＳＩＮＲ＿ｐｕは、下記の数式１のように表すことができる。
【００５４】
【数１】
0005731736.tif 000002
（ＰＷ＿ｎｏｉｓｅ：熱雑音のパワー、ＴＸＰＷ＿ｐｕ：ＰＵ  ＴＸ（５２０）の送信パワー、ｆ（Ｄ＿Ｘ）：距離Ｄ＿Ｘによる損失（ｌｏｓｓ）パワー、α：損失パワーに対するマージン、ｋ：ＰＵ  ＲＸ１（５３０）に干渉を与えることができる通信装置数、Ｄ＿Ｘ：最小可能距離）
【００５５】
ここで、ｆ（ｄ）は、１）アンテナから電波で放出されるときに発生するアンテナ送信損失、２）経路損失（ｐａｔｈ  ｌｏｓｓ）、３）その他の損失（ｍｉｓｃｅｌｌａｎｅｏｕｓ  ｌｏｓｓｅｓ）の合計で表すことができる。このとき、アンテナ送信損失（Ｌｏｓｓ＿ｔｘ）は２０ｌｏｇ（４π／λ）で表現することができ、λは電波の波長である。また、経路損失は１０ｎ＊ｌｏｇ（ｄ）で表現することができ、ｎは経路損失指数（ｐａｔｈｌｏｓｓ  ｅｘｐｏｎｅｎｔ）である。更に、経路損失はＬ＿Ｈａｔａ＋ｕ＿ｅｘｃｅｓｓ＊ｌｏｇ（ｆ／ｆ０）＋２０ｌｏｇ（ｄ）で表現することができ、Ｌ＿ＨａｔａはＨａｔａ  ｍｏｄｅｌパラメータであり、ｕ＿ｅｘｃｅｓｓは周波数による追加経路損失（ｆｒｅｑｕｅｎｃｙ  ｄｅｐｅｎｄｅｎｔ  ｅｘｃｅｓｓ  ｐａｔｈｌｏｓｓ）であり、ｆは動作周波数であってｆ０は基本周波数である。更に、その他の損失は、フェーディングマージン、本体損失（ｂｏｄｙ  ｌｏｓｓ）、偏波ミスマッチによって発生する損失などの合計で表すことができる。
【００５６】
このとき、ＳＵ  ＴＸ（５１０）は、下記の数式２のように、ＰＵ  ＲＸ１（５３０）の実際の信号対干渉及び雑音比（ＳＩＮＲ＿ｐｕ）とＰＵ  ＲＸ１（５３０）が要求する最小信号対干渉及び雑音比（ＳＩＮＲ＿ｐｕ＿ｍｉｎ）を用いて最小可能距離Ｄ＿Ｘを計算することができる。
【００５７】
【数２】
0005731736.tif 000003
【００５８】
結局、ＳＵ  ＴＸ（５１０）は、上記の数式２を用いて最小可能距離Ｄ＿Ｘを計算することができる。従って、ＳＵ  ＴＸ（５１０）は、最小可能距離Ｄ＿Ｘよりも短い距離だけ離隔した場所に位置するプライマリユーザ受信機をセンシングすることができ、最小可能距離Ｄ＿Ｘよりも長い距離だけ離隔した場所に位置するプライマリユーザ受信機をセンシングしないようにセンシング基準レベルを設定することができる。
【００５９】
特に、ＳＵ  ＴＸ（５１０）は、ＳＵ  ＴＸ（５１０）から最小可能距離Ｄ＿Ｘだけ離隔した場所に位置するＰＵ  ＲＸ１（５３０）が信号を送信する状況を仮定することができ、その状況からＳＵ  ＴＸ（５１０）で受信される信号のパワーＲＸＰＷ＿ｓｕは、下記の数式３のように予測することができる。
【００６０】
【数３】
0005731736.tif 000004
（ＲＸＰＷ＿ｓｕ：ＳＵ  ＴＸ（５１０）で受信される信号のパワー、ＴＸＰＷ＿ｐｕ：ＰＵ  ＴＸ（５２０）の送信パワー、ｆ（Ｄ＿Ｘ＋Ｄ＿ｐｕ）：距離Ｄ＿Ｘ＋Ｄ＿ｐｕによる損失パワー、β：損失パワーに対するマージン）
【００６１】
上記の数式３を参照すれば、ＳＵ  ＴＸ（５１０）から最小可能距離Ｄ＿Ｘだけ離隔した場所に位置するＰＵ  ＲＸ１（５３０）が信号を送信する状況を仮定する場合に、ＳＵ  ＴＸ（５１０）は、ＳＵ  ＴＸ（５１０）で受信される信号のパワーＲＸＰＷ＿ｓｕを予測することができる。
【００６２】
また、ＳＵ  ＴＸ（５１０）は、予測されたＲＸＰＷ＿ｓｕをセンシング基準レベルに設定することができる。結局、ＳＵ  ＴＸ（５１０）は、予測されたＲＸＰＷ＿ｓｕをセンシング基準レベルに設定して高速センシングを実行することができる。従って、より効率的に高速センシングを実行することができる。
【００６３】
例えば、ＳＵ  ＴＸ（５１０）は、予測されたＲＸＰＷ＿ｓｕをセンシング基準レベルに設定した場合を仮定する。このとき、ＳＵ  ＴＸ（５１０）は、ＰＵ  ＲＸ３（５５０）から送信された信号を受信することができるが、ＳＵ  ＴＸ（５１０）からＰＵ  ＲＸ３（５５０）までの距離が最小可能距離Ｄ＿Ｘよりも大きいため、ＳＵ  ＴＸ（５１０）で受信される信号のパワーは、センシング基準レベルに設定されたＲＸＰＷ＿ｓｕよりも小さいはずである。従って、ＳＵ  ＴＸ（５１０）は、高速センシング区間の間にＰＵ  ＲＸ３（５５０）から送信された信号が存在しないと判断することができる。また、ＳＵ  ＴＸ（５１０）からＰＵ  ＲＸ３（５５０）までの距離は最高可能距離Ｄ＿Ｘよりも大きいため、ＳＵ  ＴＸ（５１０）とＰＵ  ＲＸ３（５５０）は共存することができる。従って、ＳＵ  ＴＸ（５１０）が高速センシングを実行して判断した結果は適切であることが分かる。
【００６４】
これとは反対に、ＳＵ  ＴＸ（５１０）から最小可能距離Ｄ＿Ｘよりも短い距離にＡプライマリユーザ受信機が存在すると仮定する。このとき、ＳＵ  ＴＸ（５１０）は、Ａプライマリユーザ受信機からＡ信号を受信することができ、ＳＵ  ＴＸ（５１０）で受信されたＡ信号のパワーはＲＸＰＷ＿ｓｕよりも大きいはずである。従って、ＳＵ  ＴＸ（５１０）高速センシング区間の間に受信された信号が存在すると正確に判断することができる。結局、Ａプライマリユーザ受信機とＳＵ  ＴＸ（５１０）は極めて近くに位置しているため、共存することができない。従って、ＳＵ  ＴＸ（５１０）が高速センシング区間の間に受信された信号が存在すると判断したことは適切であることが分かる。
【００６５】
従って、本発明によれば、ＳＵ  ＴＸ（５１０）は、ＳＵ  ＴＸ（５１０）の送信パワーに応じて適応的にセンシング基準レベルを設定することで、より正確に高速センシングを実行することができる。特に、ＳＵ  ＴＸ（５１０）は、プライマリユーザ受信機が要求する最小信号対雑音比を用いて最小可能距離Ｄ＿Ｘを予測することができ、予測された最小可能距離Ｄ＿Ｘを用いてセンシング基準レベルを適切に決定することができる。
【００６６】
図６は、本発明の一実施形態によるコグニティブ無線通信装置を示すブロック図である。
【００６７】
図６を参照すると、本実施形態によるコグニティブ無線通信装置は、送信パワー決定部６１０と、センシング基準レベル制御部６２０と、高速センシング部６３０と、ファインセンシング部６４０とを備える。
【００６８】
送信パワー決定部６１０は、セカンダリネットワークに属するセカンダリ受信機とセカンダリ送信機との間の距離によってセカンダリ送信機の送信パワーを決定する。このとき、送信パワー決定部６１０は、セカンダリ受信機とセカンダリ送信機との間の距離が増加するほどセカンダリ送信機の送信パワーを増加させ、セカンダリ受信機とセカンダリ送信機との間の距離が減少するほどセカンダリ送信機の送信パワーを減少させるようにすることができる。
【００６９】
また、センシング基準レベル制御部６２０は、セカンダリネットワークに属するセカンダリ送信機の送信パワーに応じて適応的にセンシング基準レベルを制御する。このとき、センシング基準レベル制御部６２０は、プライマリネットワークに属するプライマリ受信機で発生する恐れがある干渉量を予測し、予測された干渉量に基づいてセンシング基準レベルを制御することができる。
【００７０】
特に、センシング基準レベル制御部６２０は、プライマリネットワークに属するプライマリ受信機が要求する最小信号対干渉及び雑音比を考慮してセンシング基準レベルを制御することができる。即ち、センシング基準レベル制御部６２０は、プライマリ受信機の実際の信号対干渉及び雑音比が最小の信号対干渉及び雑音比と同じになるセカンダリ送信機及びプライマリ受信機の間の最小可能距離（ｍｉｎｉｍｕｍ  ｐｏｓｓｉｂｌｅ  ｄｉｓｔａｎｃｅ）を予測し、予測された最小可能距離を用いてセンシング基準レベルを制御することができる。
【００７１】
このとき、センシング基準レベル制御部６２０は、プライマリネットワークに属するプライマリ送信機のカバレージの半径及び予め把握されたプライマリ送信機から送信される信号のパワーを考慮してセンシング基準レベルを制御することができる。
【００７２】
また、高速センシング部６３０は、制御されたセンシング基準レベルを用いて、予め設定された時間区間の間に受信された信号が存在するか否かを判断する。このとき、高速センシング部６３０は、制御されたセンシング基準レベル及び受信された信号のパワーを比較する高速センシング技法によって、受信された信号が存在するか否かを判断することができる。
【００７３】
ファインセンシング部６４０は、受信された信号が存在すると判断された場合に、ファインセンシング技法によって受信された信号がプライマリネットワークに属するプライマリ送信機から送信される信号であるかを判断する。
【００７４】
図４に示す各装置に対する詳細な説明は、図１〜３を参照しながら上述したため、以下では省略する。
【００７５】
図７は、本発明の一実施形態によるコグニティブ無線通信方法を示すフローチャートである。
【００７６】
図７を参照すると、本実施形態によるコグニティブ無線通信方法において、セカンダリネットワークに属するコグニティブ無線通信装置は、セカンダリネットワークに属するセカンダリ受信機とセカンダリ送信機との間の距離によってセカンダリ送信機の送信パワーを決定する（ステップＳ７１０）。
【００７７】
また、本実施形態によるコグニティブ無線通信方法において、セカンダリネットワークに属するコグニティブ無線通信装置は、セカンダリネットワークに属するセカンダリ送信機の送信パワーに応じて適応的にセンシング基準レベルを制御する（ステップＳ７２０）。
【００７８】
また、本実施形態によるコグニティブ無線通信方法において、セカンダリネットワークに属するコグニティブ無線通信装置は、制御されたセンシング基準レベルを用いて高速センシングを実行する（ステップＳ７３０）。
【００７９】
また、本実施形態によるコグニティブ無線通信方法において、セカンダリネットワークに属するコグニティブ無線通信装置は、予め設定された時間区間である高速センシング区間の間に受信された信号が存在するか否かを判断する（ステップＳ７４０）。即ち、受信された信号のパワーがセンシング基準レベルよりも大きければ、受信された信号が存在すると判断され、受信された信号のパワーがセンシング基準レベルよりも小さければ、受信された信号が存在しないと判断される。
【００８０】
また、本実施形態によるコグニティブ無線通信方法において、受信された信号が存在すると判断された場合に、セカンダリネットワークに属するコグニティブ無線通信装置は、ファインセンシングを実行する（ステップＳ７５０）。
【００８１】
また、本実施形態によるコグニティブ無線通信方法において、受信された信号が存在しないと判断された場合に、セカンダリネットワークに属するコグニティブ無線通信装置は、送信パワーが変更されたか否かを判断する（ステップＳ７６０）。
【００８２】
また、本実施形態によるコグニティブ無線通信方法において、送信パワーが変更されていないと判断される場合に、セカンダリネットワークに属するコグニティブ無線通信装置は、高速センシングを再実行する（ステップＳ７３０）。
【００８３】
また、本実施形態によるコグニティブ無線通信方法において、送信パワーが変更されたと判断される場合に、セカンダリネットワークに属するコグニティブ無線通信装置は、送信パワーを再決定する（ステップＳ７１０）。
【００８４】
図８は、セカンダリネットワークがセルラ通信システムであり、セルラ基地局及び移動端末が近くに位置する場合のセルラ通信システム及びプライマリネットワークを示す図である。
【００８５】
図８を参照すると、セカンダリネットワークであるセルラ通信システムは、基地局（Ｂａｓｅ  Ｓｔａｔｉｏｎ：ＢＳ）８１０及び移動端末（Ｍｏｂｉｌｅ  Ｓｔａｔｉｏｎ：ＭＳ）８３０を含む。また、プライマリネットワークは、プライマリユーザ送信機（ＰＵ  ＴＸ）８２０、第１〜第３プライマリユーザ受信機（ＰＵ  ＲＸ１、ＰＵ  ＲＸ２、ＰＵ  ＲＸ３）８４０、８５０、８６０を含む。
【００８６】
但し、ＰＵ  ＴＸ（８２０）、ＰＵ  ＲＸ１（８４０）、ＰＵ  ＲＸ２（８５０）、ＰＵ  ＲＸ３（８６０）は、実際に存在するものではなく、仮想的に示すものである。
【００８７】
ＢＳ８１０は、データを送受信することができる送受信カバレージ８７０を有し、他の通信装置に干渉を及ぼす恐れがある干渉カバレージ８９１を有する。また、アップリンク通信が実行される場合に、ＭＳ８３０は、他の通信装置に干渉を及ぼす恐れがある干渉カバレージ８８０を有する。更に、ＰＵ  ＴＸ（８２０）も、データを送受信することができる送受信カバレージ８９２を有する。
【００８８】
ＢＳ８１０とＭＳ８３０が近くに位置したりＭＳ８３０が通信動作を実行しないアイドル（ｉｄｌｅ）モードで動作していたりする場合、又はダウンリンク通信のみが実行される場合に、ＢＳ８１０は、ＢＳ８１０の送信パワーによってセンシング基準レベルを制御することができる。
【００８９】
なぜなら、ＢＳ８１０とＭＳ８３０が近くに位置する場合に、ＢＳ８１０の干渉カバレージ８９１がＭＳ８３０の干渉カバレージ８８０を含むためである。これだけでなく、ＭＳ８３０が通信動作を実行しないアイドルモードで動作している場合、又はダウンリンク通信のみが実行される場合に、ＭＳ８３０は他の通信装置に対して干渉を発生しないため、ＢＳ８１０はＢＳ８１０の送信パワーによってセンシング基準レベルを制御することができる。
【００９０】
このとき、ＢＳ８１０は、ＰＵ  ＲＸ１（８４０）、ＰＵ  ＲＸ２（８５０）、ＰＵ  ＲＸ３（８６０）の最小の信号対干渉比を用いて最小可能距離Ｄ＿Ｘを予測することができる。また、ＢＳ８１０は、予測された最小可能距離Ｄ＿Ｘによって、ＢＳ８１０から最小可能距離Ｄ＿Ｘだけ離隔した場所に位置する仮想のＰＵ  ＲＸ１（８４０）を仮定することができる。
【００９１】
結局、ＢＳ８１０は、最小可能距離Ｄ＿Ｘよりも短い距離だけ離隔した場所に位置するプライマリユーザ受信機をセンシングすることができ、最小可能距離Ｄ＿Ｘよりも長い距離だけ離隔した場所に位置するプライマリユーザ受信機をセンシングしないようにセンシング基準レベルを設定することができる。
【００９２】
特に、ＢＳ８１０は、ＰＵ  ＲＸ１（８４０）が信号を送信する状況を仮定し、この状況で、ＢＳ８１０で受信される信号のパワーをセンシング基準レベルに設定することができる。これに関する詳細な説明は、図５を参照しながら上述したため、以下では省略する。
【００９３】
図９は、セカンダリネットワークがセルラ通信システムであり、セルラ基地局及び移動端末が遠く離れて位置する場合のセルラ通信システム及びプライマリネットワークを示す図である。
【００９４】
図９を参照すると、セカンダリネットワークであるセルラ通信システムは、基地局（ＢＳ）９１０及び移動端末（ＭＳ）９３０を含む。更に、プライマリネットワークは、プライマリユーザ送信機（ＰＵ  ＴＸ）９２０、第１〜第３プライマリユーザ受信機（ＰＵ  ＲＸ１、ＰＵ  ＲＸ２、ＰＵ  ＲＸ３）９４０、９５０、９６０を含む。
【００９５】
但し、ＰＵ  ＴＸ（９２０）、ＰＵ  ＲＸ１（９４０）、ＰＵ  ＲＸ２（９５０）、ＰＵ  ＲＸ３（９６０）は、実際に存在するものではなく、仮想的に示すものである。
【００９６】
ＢＳ９１０は、データを送受信することができる送受信カバレージ９７０を有し、他の通信装置に干渉を及ぼす恐れがある干渉カバレージ９９１を有する。また、アップリンク通信が実行される場合に、ＭＳ９３０は、他の通信装置に干渉を及ぼす恐れがある干渉カバレージ９８０を有する。更に、ＰＵ  ＴＸ（９２０）も、データを送受信することができる送受信カバレージ９９２を有する。
【００９７】
ＭＳ９３０がアップリンク通信を実行する場合を仮定する。このとき、ＢＳ９１０とＭＳ９３０が遠く離れており、ＢＳ９１０の干渉カバレージ９９１がＭＳ９３０の干渉カバレージ９８０を含むことができない場合に、センシング基準レベルは、ＭＳ９３０の送信パワーによって設定されなければならない。
【００９８】
従って、ＭＳ９３０は、ＰＵ  ＲＸ１（９４０）の実際の信号対干渉及び雑音比が最小の信号対干渉及び雑音比と同じになる距離であるＭＳ９３０とＰＵ  ＲＸ１（９４０）との間の最小可能距離Ｄ＿Ｘを予測する。ここで、ＰＵ  ＲＸ１（９４０）は、実際に存在するものではなく、仮想的なものである。
【００９９】
また、ＭＳ９３０は、最小可能距離Ｄ＿Ｘよりも短い距離だけ離隔した場所に位置するプライマリユーザ受信機をセンシングすることができ、最小可能距離Ｄ＿Ｘよりも長い距離だけ離隔した場所に位置するプライマリユーザ受信機をセンシングしないようにセンシング基準レベルを設定することができる。
【０１００】
結局、ＢＳ９１０は、最小可能距離Ｄ＿Ｘだけ離隔した場所に位置するＰＵ  ＲＸ１（９４０）が信号を送信する状況を仮定し、その状況で、ＢＳ９１０で受信される信号のパワーをセンシング基準レベルに設定することができる。これに関する詳細な説明は、図５を参照しながら上述したため、以下では省略する。
【０１０１】
なお、本発明の一実施形態によるコグニティブ無線通信方法は、コンピュータにより実現される多様な動作を実行するためのプログラム命令を含むコンピュータ読取可能な記録媒体に記録しておくことができ、そのプログラムの実行等により実現することができる。当該記録媒体には、プログラム命令、データファイル、データ構造などを単独又は組み合わせて含ませることもでき、記録媒体及びプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光又は金属線、導波管などの送信媒体でもある。プログラム命令の例としては、コンパイラによって生成されるような機械語コードだけでなく、インタプリタなどを用いてコンピュータによって実行され得る高級言語コードを含む。上記ハードウェア要素は、本発明の動作を実行するために一以上のソフトウェアモジュールとして作動するように構成することができ、その逆もできる。
【０１０２】
以上、図面を参照しながら本発明を実施するための最良の形態について説明したが、本発明は、上述の実施形態に限られるものではなく、本発明の技術的範囲から逸脱しない範囲内で多様に変更実施することが可能である。
【図面の簡単な説明】
【０１０３】
【図１】本発明の一実施形態によってセカンダリネットワークに属するコグニティブ無線通信装置が高速センシングする高速センシング区間及びファインセンシングするファインセンシング区間を示す図である。
【図２】センシング基準レベルに対する看過確率及び誤報確率の一例を示す図である。
【図３】誤報確率に対する看過確率の一例を示す図である。
【図４】本発明のセカンダリネットワーク及びプライマリネットワークの一例を示す図である。
【図５】セカンダリ送信機から最小可能距離だけ離隔したプライマリ受信機の一例を示す図である。
【図６】本発明の一実施形態によるコグニティブ無線通信装置を示すブロック図である。
【図７】本発明の一実施形態によるコグニティブ無線通信方法を示すフローチャートである。
【図８】セカンダリネットワークがセルラ通信システムであり、セルラ基地局及び移動端末が近くに位置する場合のセルラ通信システム及びプライマリネットワークを示す図である。
【図９】セカンダリネットワークがセルラ通信システムであり、セルラ基地局及び移動端末が遠くに離れて位置する場合のセルラ通信システム及びプライマリネットワークを示す図である。
【符号の説明】
【０１０４】
２１０、２２０、３１０、３２０    カーブ
４１０    第１セカンダリユーザ通信装置（ＳＵ１）
４２０    第２セカンダリユーザ通信装置（ＳＵ２）
４３０、５２０、８２０、９２０    プライマリユーザ送信機（ＰＵ  ＴＸ）
４４０、５３０、８４０、９４０    第１プライマリユーザ受信機（ＰＵ  ＲＸ１）
４５０、５４０、８５０、９５０    第２プライマリユーザ受信機（ＰＵ  ＲＸ２）
４６０    送受信カバレージ
４７０    ＳＵ１及びＳＵ２の干渉カバレージ
５１０    セカンダリユーザ送信機（ＳＵ  ＴＸ）
５５０、８６０、９６０    第３プライマリユーザ受信機（ＰＵ  ＲＸ３）
５６０    ＳＵ  ＴＸの送受信カバレージ
５７０    ＳＵ  ＴＸの干渉カバレージ
５８０、８９２、９９２    ＰＵ  ＴＸの送受信カバレージ
６１０    送信パワー決定部
６２０    センシング基準レベル制御部
６３０    高速センシング部
６４０    ファインセンシング部
８１０、９１０    基地局（ＢＳ）
８３０、９３０    移動端末（ＭＳ）
８７０、９７０    ＢＳの送受信カバレージ
８８０、９８０    ＭＳの干渉カバレージ
８９１、９９１    ＢＳの干渉カバレージ
【図１】
0005731736.tif 000005
【図２】
0005731736.tif 000006
【図３】
0005731736.tif 000007
【図４】
0005731736.tif 000008
【図５】
0005731736.tif 000009
【図６】
0005731736.tif 000010
【図７】
0005731736.tif 000011
【図８】
0005731736.tif 000012
【図９】
0005731736.tif 000013